(57)【要約】【課題】画像歪みの補正機能を備えた投写型映像表示装置において、ユーザの誤操作に伴なう不具合および煩わしさを解消する。【解決手段】プロジェクタは、投写映像に歪みを補正するための画像歪み補正部と、ユーザの操作に応じて画像歪み補正処理に関連付けられた操作信号を出力するリモコンとを備える。画像歪み補正部は、Ｋｅｙｓｔｏｎｅリモコン釦からの操作信号に応じて、台形歪み補正処理による補正とコーナー歪み補正処理による補正とを切り替える切替手段と、台形歪み補正処理またはコーナー歪み補正処理による補正が行なわれたか否かを判定する判定手段と、該判定手段によって台形歪み補正処理またはコーナー歪み補正処理による補正が行なわれたと判定された場合において、Ｋｅｙｓｔｏｎｅリモコン釦から操作信号を受けたときには、台形歪み補正処理とコーナー歪み補正処理との切り替えを禁止するための禁止手段とを含む。【選択図】図８
2011065025.tif 000002
【特許請求の範囲】
【請求項１】
入力された映像信号を変換して投写すべき映像を表す表示映像信号を生成する映像信号処理部と、
投写映像の歪みを補正するために、前記表示映像信号を調整する画像歪み補正部と、
ユーザの操作に応じて画像歪み補正処理に関連付けられた操作信号を出力する入力操作部とを備え、
前記画像歪み補正部は、
投写映像上の補正点の変更に応じて、前記表示映像信号を調整する第１の画像歪み補正手段と、
投写型映像表示装置の投写角度に関する角度パラメータの変更に応じて、前記表示映像信号を調整する第２の画像歪み補正手段と、
前記入力操作部からの第１の操作信号に応じて、前記第１の画像歪み補正手段による補正と、前記第２の画像歪み補正手段による補正とを相互に切り替えるための切替手段と、
前記第１の画像歪み補正手段または前記第２の画像歪み補正手段による補正が行なわれたか否かを判定する判定手段と、
前記判定手段によって前記第１の画像歪み補正手段または前記第２の画像歪み補正手段による補正が行なわれたと判定された場合において、前記入力操作部から前記第１の操作信号を受けたときには、前記第１の画像歪み補正手段と前記第２の画像歪み補正手段との切り替えを禁止するための禁止手段とを含む、投写型映像表示装置。
【請求項２】
入力された映像信号を変換して投写すべき映像を表す表示映像信号を生成する映像信号処理部と、
投写映像の歪みを補正するために、前記表示映像信号を調整する画像歪み補正部と、
ユーザの操作に応じて画像歪み補正処理に関連付けられた操作信号を出力する入力操作部とを備え、
前記画像歪み補正部は、
投写映像上の補正点の変更に応じて、前記表示映像信号を調整する第１の画像歪み補正手段と、
投写型映像表示装置の投写角度に関する角度パラメータの変更に応じて、前記表示映像信号を調整する第２の画像歪み補正手段と、
前記入力操作部からの第１の操作信号に応じて、前記第１の画像歪み補正手段による補正と、前記第２の画像歪み補正手段による補正とを相互に切り替えるための切替手段と、
前記第１の画像歪み補正手段または前記第２の画像歪み補正手段による補正が行なわれたか否かを判定する判定手段と、
前記判定手段によって前記第１の画像歪み補正手段または前記第２の画像歪み補正手段による補正が行なわれたと判定された場合において、前記入力操作部から前記第１の操作信号を受けたときには、ユーザにより前記切り替えを選択させるための映像を同一画面上に表示するための表示手段とを含む、投写型映像表示装置。
【請求項３】
前記切替手段は、前記判定手段によって前記第１の画像歪み補正手段または前記第２の画像歪み補正手段による補正が行なわれていないと判定された場合において、前記入力操作部から前記第１の操作信号を受けたときには、前記第１の画像歪み補正手段と前記第２の画像歪み補正手段とを切り替える、請求項１または請求項２に記載の投写型映像表示装置。
【請求項４】
前記入力操作部は、ユーザの操作に応じて前記補正点または前記角度パラメータに関連付けられた第２の操作信号を出力し、
前記判定手段は、前記切り替えを行なった時点から所定期間内に前記第２の操作信号を受けたときには、前記第１の画像歪み補正手段または前記第２の画像歪み補正手段による補正が行なわれたと判定する、請求項１から３のいずれか１項に記載の投写型映像表示装置。
【発明の詳細な説明】
【技術分野】
【０００１】
この発明は、投写型映像表示装置に関し、より特定的には、投写面に表示される映像の歪みを補正する機能を有する投写型映像表示装置に関する。
【背景技術】
【０００２】
投写型映像表示装置（以下、プロジェクタとも称する。）においては、プロジェクタからの投写光の光軸とスクリーン等の投写面との相対的な傾きによって、投写面上に投写される画像が水平方向および垂直方向の少なくとも一方向に歪む、いわゆる画像歪みが発生する場合がある。
【０００３】
このような画像歪みを補正するための補正機能を有するプロジェクタとして、たとえば特開２００８−７９０１６号公報（特許文献１）には、キー操作に基づいた補正（手動補正）を行なうか、プロジェクタの設置角度を検出し、その検出した設置角度に基づいた補正（自動補正）を行なうかを切り替え可能とした構成が開示される。
【０００４】
この特許文献１では、プロジェクタは、投写映像の台形歪みを所定方向に補正する操作を行なう第１の台形補正キーと、第１の台形キーと逆方向に投写映像の台形歪みを補正する操作を行なう第２の台形補正キーとを有している。そして、第１または第２の台形補正キーによるキー操作がされたときには手動補正処理が行なわれ、第１および第２の台形補正キーによるキー操作がされたときには、自動補正処理が行なわれる。
【先行技術文献】
【特許文献】
【０００５】
【特許文献１】特開２００８−７９０１６号公報
【発明の概要】
【発明が解決しようとする課題】
【０００６】
上記の特許文献１に開示されるプロジェクタでは、手動補正と自動補正との切り替えを、別途切替操作キーを設けることなく行なうことができる。したがって、手動補正と自動補正との切り替えを、操作性良く行なうことができる。
【０００７】
しかしながら、一方で、第１および第２の台形補正キーのキー操作の態様のみで、手動補正と自動補正とを切り替えているため、ユーザにより操作パネルの第１または第２の台形補正キーのいずれかが誤って押下された場合には、ユーザの意図に反して、手動補正と自動補正との切り替えが行なわれてしまうという問題点がある。
【０００８】
たとえば、自動補正処理の実行中に第１の台形補正キーが誤って押下されると、それまで行なってきた自動補正処理が停止（リセット）されて手動補正に切り替わるため、ユーザは、最初から歪み補正のための操作をやり直す必要が生じる。
【０００９】
それゆえ、この発明は、かかる課題を解決するためになされたものであり、その目的は、画像歪みの補正機能を備えた投写型映像表示装置において、ユーザの誤操作に伴なう不具合および煩わしさを解消することである。
【課題を解決するための手段】
【００１０】
この発明のある局面に従う投写型映像表示装置は、入力された映像信号を変換して投写すべき映像を表す表示映像信号を生成する映像信号処理部と、投写映像の歪みを補正するために、表示映像信号を調整する画像歪み補正部と、ユーザの操作に応じて画像歪み補正処理に関連付けられた操作信号を出力する入力操作部とを備える。画像歪み補正部は、投写映像上の補正点の変更に応じて、表示映像信号を調整する第１の画像歪み補正手段と、投写型映像表示装置の投写角度に関する角度パラメータの変更に応じて、表示映像信号を調整する第２の画像歪み補正手段と、入力操作部からの第１の操作信号に応じて、第１の画像歪み補正手段による補正と、第２の画像歪み補正手段による補正とを相互に切り替えるための切替手段と、第１の画像歪み補正手段または第２の画像歪み補正手段による補正が行なわれたか否かを判定する判定手段と、判定手段によって第１の画像歪み補正手段または第２の画像歪み補正手段による補正が行なわれたと判定された場合において、入力操作部から第１の操作信号を受けたときには、第１の画像歪み補正手段と第２の画像歪み補正手段との切り替えを禁止するための禁止手段とを含む。
【００１１】
この発明の別の局面に従う投写型映像表示装置は、入力された映像信号を変換して投写すべき映像を表す表示映像信号を生成する映像信号処理部と、投写映像の歪みを補正するために、表示映像信号を調整する画像歪み補正部と、ユーザの操作に応じて画像歪み補正処理に関連付けられた操作信号を出力する入力操作部とを備える。画像歪み補正部は、投写映像上の補正点の変更に応じて、表示映像信号を調整する第１の画像歪み補正手段と、投写型映像表示装置の投写角度に関する角度パラメータの変更に応じて、表示映像信号を調整する第２の画像歪み補正手段と、入力操作部からの第１の操作信号に応じて、第１の画像歪み補正手段による補正と、第２の画像歪み補正手段による補正とを相互に切り替えるための切替手段と、第１の画像歪み補正手段または第２の画像歪み補正手段による補正が行なわれたか否かを判定する判定手段と、判定手段によって第１の画像歪み補正手段または第２の画像歪み補正手段による補正が行なわれたと判定された場合において、入力操作部から第１の操作信号を受けたときには、ユーザにより切り替えを選択させるための映像を同一画面上に表示するための表示手段とを含む。
【００１２】
好ましくは、切替手段は、判定手段によって第１の画像歪み補正手段または第２の画像歪み補正手段による補正が行なわれていないと判定された場合において、入力操作部から第１の操作信号を受けたときには、第１の画像歪み補正手段と第２の画像歪み補正手段とを切り替える。
【００１３】
好ましくは、入力操作部は、ユーザの操作に応じて補正点または角度パラメータに関連付けられた第２の操作信号を出力する。判定手段は、切り替えを行なった時点から所定期間内に第２の操作信号を受けたときには、第１の画像歪み補正手段または第２の画像歪み補正手段による補正が行なわれたと判定する。
【発明の効果】
【００１４】
この発明によれば、画像歪みの補正機能を備えた投写型映像表示装置において、ユーザの誤操作に伴なう不具合および煩わしさを解消することができる。その結果、投写型映像表示装置の操作性を高めることができる。
【図面の簡単な説明】
【００１５】
【図１】この発明の実施の形態に係る投写型映像表示装置の概略構成図である。
【図２】図１におけるプロジェクタの構成を示す図である。
【図３】リモコンを説明する図である。
【図４】画像歪み補正部による台形歪み補正処理を説明する図である。
【図５】画像歪み補正部による台形歪み補正処理を説明する図である。
【図６】画像歪み補正部によるコーナー歪み補正処理を説明する図である。
【図７】台形歪み補正処理からコーナー歪み補正処理への切り替え制御を説明する図である。
【図８】台形歪み補正処理とコーナー歪み補正処理との間の切り替え制御処理を説明する図である。
【図９】本発明の実施の形態に従う台形歪み補正処理とコーナー歪み補正処理との間の切り替え制御処理を説明するフローチャートである。
【図１０】本発明の実施の形態に係る従う台形歪み補正処理とコーナー歪み補正処理との間の切り替え制御処理を説明するフローチャートである。
【図１１】本発明の実施の形態の変更例に従う台形歪み補正処理とコーナー歪み補正処理との間の切り替え制御処理を説明する図である。
【発明を実施するための形態】
【００１６】
以下、本発明の実施の形態について、図面を参照しながら詳細に説明する。なお、図中の同一または相当する部分には同一符号を付してその説明は繰返さない。
【００１７】
図１は、この発明の実施の形態に係る投写型映像表示装置の概略構成図である。
図１を参照して、本実施の形態に係る投写型映像表示装置（以下、「プロジェクタ」とも記す。）１０は、液晶デバイスを利用して映像を投影する液晶プロジェクタであって、スクリーン３０に液晶デバイスにより表示される映像の光を投写することにより、投写映像４０を表示する。投写面は、スクリーン３０に限定されず、壁面であってもよい。
【００１８】
プロジェクタ１０は、ユーザが操作するリモコン（リモートコントローラの略）５０から送信される赤外線変調されたリモコン信号を受信するリモコン受信部２０と、入力部６０とを備える。リモコン信号には、プロジェクタ１０を遠隔制御するためのコマンド信号が含まれる。入力部６０は、外部の信号供給装置（図示せず）から供給される映像信号を受け付けるための入力ポートを含む。信号供給装置には、ＤＶＤ（Digital Versatile Disc）再生装置、Ｂｌｕｅ−Ｒａｙディスク再生装置などのデジタル信号を出力するデジタル信号供給装置と、コンピュータなどのアナログ信号を出力するアナログ信号供給装置とが含まれる。
【００１９】
図２は、図１におけるプロジェクタ１０の構成を示す図である。
図２を参照して、プロジェクタ１０は、レシーバ部６２と、映像信号処理回路６４と、合成部６６と、画像歪み補正部６８と、マイコン（マイクロコンピュータ）７０と、ＯＳＤ（On Screen Display）回路７２と、ＤＡＣ（Digital Analog Converter）７４と、液晶表示駆動部７６と、光学系７８と、電源ユニット８０と、コネクタ８４と、ランプ８６とを備える。
【００２０】
マイコン７０は、リモコン５０からリモコン受信部２０を介して入力したコマンド信号に基づいて、制御指令を生成してプロジェクタ１０の各部へ出力する。
【００２１】
レシーバ部６２は、入力部６０から与えられる映像信号を受信して出力する。レシーバ部６２は、受信したデジタル映像信号をアナログ信号に変換するＡＤＣ（Analog Digital Converter）機能と、ＨＤＣＰ（High-Bandwidth Digital Content Protection System）に従う認証機能および暗号の復号機能とを有する。なお、ＨＤＣＰとは、ＨＤＭＩ（High Definition Multimedia Interface）に従って伝送されるデータの暗号化を実現するために用いられる。これにより、デジタル伝送路上を伝送される映像信号などのコンテンツが不正にコピーされるのを防止できる。ここでは、デジタル伝送路は、ＨＤＭＩに従ってデータ・信号を伝送する経路であるとしているが、ＤＶＩ（Digital Visual Interface）に従って伝送経路であってもよい。
【００２２】
映像信号処理回路６４は、レシーバ部６２から出力された映像信号を表示のための信号に処理して出力する。具体的には、映像信号処理回路６４は、レシーバ部６２からの映像信号を１フレーム（１画面）ごとにフレームメモリ（図示せず）に書き込むとともに、フレームメモリに記憶された映像を読み出す。そして、この書き込みと読み出しの処理の過程において、各種の映像処理を施すことにより、入力された映像信号を変換して投写映像用の映像信号である映像データを生成する。
【００２３】
ＯＳＤ回路７２は、マイコン７０からの命令に従って、プロジェクタ１０の各種状態を表す文字や記号、画像歪み補正、画質調整、動作条件設定等を行なう際のメニュー映像や、ポインタ映像やアンダーライン映像などの装飾映像など（以下、これらの画像を「ＯＳＤ映像」とも称す。）をＯＳＤ映像信号として生成し、合成部６６へ出力する。
【００２４】
合成部６６は、ＯＳＤ映像信号を、映像信号処理回路６４から出力された映像信号に合成し、合成映像信号として映像データを生成し、画像歪み補正部６８に供給する。
【００２５】
ここで、ＯＳＤ映像信号は、ユーザがリモコン５０からＯＳＤ映像の表示を指示することにより、ＯＳＤ回路７２がＯＳＤ回路７２内の図示しないメモリに記憶されているＯＳＤデータを読み出すことにより生成される。なお、ＯＳＤ映像を表示しない場合には、合成部６６は上記の合成処理を行なわず、映像信号出力回路６４から出力された映像データが、そのまま画像歪み補正部６８に供給される。
【００２６】
画像歪み補正部６８は、プロジェクタ１０からの投写光の光軸とスクリーン３０の投写面との相対的な傾きによって生じる画像歪みを補正するように、合成部６６から出力された合成映像信号を調整して歪み補正映像を表す映像信号を生成し、生成した映像信号をＤＡＣ７４へ出力する。
【００２７】
画像歪み補正部６８は、画像歪みを補正する機能として、プロジェクタ１０の投写角度に関する角度パラメータを用いて、液晶表示駆動部７６に設けられた各液晶パネルに歪んだ画像を形成することにより、スクリーン３０に表示される投写映像の歪みを補正する台形歪み補正機能と、スクリーン３０上に表示されている投写映像の四隅の位置の、ユーザ操作に応じた変位量に基づき、各液晶パネルに歪んだ画像を形成することにより、投写映像の歪みを補正するコーナー歪み補正機能とを備えている。これらの補正機能およびその切り替え制御処理については後述する。
【００２８】
ＤＡＣ７４は、画像歪み補正部６８から出力された映像信号を入力し、アナログ信号に変換して液晶表示駆動部７６へ出力する。
【００２９】
液晶表示駆動部７６、光学系７８およびランプ８６は、ＤＡＣ７４から出力される映像信号に従って、マイコン７０の制御の下に、スクリーン３０に映像を投影するための投影部に相当する。
【００３０】
投影部の動作について説明する。照明装置であるランプ８６は、たとえば超高圧水銀ランプ、メタルハライドランプ、キセノンランプなどからなる。ランプ８６は、コネクタ８４を介してプロジェクタ１０に着脱自在に取り付けられる。ランプ８６からは、略平行光となって光が液晶表示駆動部７６に出射される。
【００３１】
液晶表示駆動部７６は、図示しないレンズおよびプリズムを含む光学系と、Ｒ，Ｇ，Ｂの各液晶パネルとを含む。液晶表示駆動部７６では、内部の図示しないレンズ系を通過したランプ８６からの光は、Ｒ，Ｇ，Ｂの各液晶パネルに光量分布が均一となるように入射する。レンズ系を介して入射された光のうち、青色波長帯の光（以下、「Ｂ光」という）、赤色波長帯の光（以下、「Ｒ光」という）、緑色波長帯の光（以下、「Ｇ光」という）は、略平行光でＲ，Ｇ，Ｂの各液晶パネルに入射する。各液晶パネルは、ＤＡＣ７４から与えられるＲ，Ｇ，Ｂに対応した映像信号に応じて駆動され、その駆動状態に応じて光を変調する。液晶パネルによって変調されたＲ光，Ｇ光，Ｂ光は、ダイクロイックプリズムによって色合成された後に、投写レンズによって、スクリーン３０上に拡大投写される。投写レンズは、投写光をスクリーン３０に結像させるためのレンズ群と、これらレンズ群の一部を光軸方向に変化させて投写映像のズーム状態およびフォーカス状態を調整するためのアクチュエータを備えている。
【００３２】
電源ユニット８０は、図示しないＡＣ（Alternating Current）電源のコンセントに差し込まれるプラグ８２を経由して電源が供給されて、供給された電源をプロジェクタ１０内の各部に供給する。
【００３３】
ユーザは、リモコン５０を用いて、種々の入力を行なうことができる。リモコン５０から送信されたリモコン信号は、リモコン受信部２０を介してマイコン７０に入力されて対応する種々の処理が実行される。
【００３４】
（画像歪み補正処理）
図３は、リモコン５０を説明する図である。図３を参照して、リモコン５０は、調整釦５２Ｕ，５２Ｄ，５２Ｌ，５２Ｒと、確定（Ｅｎｔｅｒ）釦５４と、Ｋｅｙｓｔｏｎｅ（キーストーン）リモコン釦５６とを備えている。調整釦は、上調整釦５２Ｕと、下調整釦５２Ｄと、左調整釦５２Ｌと、右調整釦５２Ｒとが十字に配置されている。なお、以下の説明では、上下左右の４つの調整釦を総称して、調整釦５２とも記す。
【００３５】
調整釦５２は、台形歪み補正処理の実行時には、上調整釦５２Ｕおよび下調整釦５２Ｄに対応する垂直操作信号と、左調整釦５２Ｌおよび右調整釦５２Ｒに対応する水平操作信号とを出力する。垂直操作信号は、垂直方向の画像歪みを補正するために垂直方向の角度パラメータと関連付けられている。また、水平操作信号は、水平方向の画像歪みを補正するために水平方向の角度パラメータと関連付けられている。
【００３６】
したがって、台形歪み補正処理の実行時には、ユーザは、調整釦５２を操作することにより、水平方向の角度パラメータおよび垂直方向の角度パラメータを設定する。画像歪み補正部６８は、設定された角度パラメータに従って、画像歪みを補正することができる。
【００３７】
また、調整釦５２は、コーナー歪み補正処理の実行時には、右調整釦５２Ｒおよび下調整釦５２Ｄに対応する左上隅操作信号と、左調整釦５２Ｌおよび下調整釦５２Ｄに対応する右上隅操作信号と、右調整釦５２Ｒおよび上調整釦５２Ｕに対応する左下隅操作信号と、左調整釦５２Ｌおよび上調整釦５２Ｕに対応する右下隅操作信号とを出力する。左上隅操作信号は、スクリーン上の左上隅の変位量と関連付けられている。右上隅操作信号は、スクリーン上の右上隅の変位量と関連付けられている。左下隅操作信号は、スクリーン上の左下隅の変位量と関連付けられている。右下隅操作信号は、スクリーン上の右下隅の変位量と関連付けられている。
【００３８】
したがって、コーナー歪み補正処理の実行時には、ユーザは、調整釦５２を操作することにより、スクリーン３０に表示されている映像の四隅の変位量を設定する。画像歪み補正部６８は、設定された四隅の変位量に従って、画像歪みを補正することができる。以下では、画像歪み補正の処理手順について説明する。
【００３９】
ユーザがリモコン５０のＫｅｙｓｔｏｎｅリモコン釦５６を押下すると、画像歪み補正処理が選択されて開始される。画像歪み補正処理が選択されて開始されると、ＯＳＤ回路７２によって投写映像４０と同一画面上に画像歪み補正映像が表示される。
【００４０】
（台形画像歪み補正）
次に、画像歪み補正部６８による台形歪み補正処理について、図４および図５を用いて説明する。
【００４１】
図４は、台形歪み補正処理の実行時において各液晶パネルに形成されている歪み映像の形状を示す図である。図４を参照して、歪み映像と同一画面上には、ＯＳＤ回路７２によって台形歪み補正映像Ｇ１が表示される。台形歪み補正映像Ｇ１には、操作メニューの種別（画像歪み補正メニュー）と、調整釦５２（図３）の操作状態を示すインジケータとが表示されている。以下では、台形歪み補正映像Ｇ１が表示されている状態を、「Ｋｅｙｓｔｏｎｅ  ＯＳＤ表示」とも記す。
【００４２】
上調整釦５２Ｕと下調整釦５２Ｄとが垂直方向のあおり投写による画像歪みの補正に対応している。図４の例では、上調整釦５２Ｕを押下することにより、画像歪み補正映像Ｇ１では、上調整釦５２Ｕに対応するインジケータが点灯（表示色が変更）するとともに、垂直方向の角度パラメータの値が＋方向に大きくなり、映像の上辺側が下辺側に比べて小さくなる方向に補正される。
【００４３】
実施例では、上調整釦５２Ｕの押下回数と垂直方向の角度パラメータの値とは連動している。画像歪み補正部６８は、垂直方向の角度パラメータの値に応じて映像信号を調整して、映像信号に基づいた映像（実映像９０）を形成するための映像形成領域を、各液晶パネルの画素領域内に定める。すなわち、画像歪みが補正されて実映像９０が正規の形状でスクリーン３０に投写されるように、映像形成領域を投写映像４０と反対向きの台形形状とするとともに、映像の形成に寄与しない領域９２に含まれる各画素の光透過率が最小となるように、映像データを補正する。この結果、図５に示すように、実映像９０が正規の形状でスクリーン３０上に表示される。
【００４４】
一方、図示は省略するが、下調整釦５２Ｄを押下することにより、下調整釦５２Ｄに対応するインジケータが点灯するとともに、垂直方向の角度パラメータの値が−方向に大きくなり、映像の下辺側が上辺側に比べて小さくなる方向に補正される。
【００４５】
また、左調整釦５２Ｌと右調整釦５２Ｒとが水平方向のあおり投写による画像歪みの補正に対応している。右調整釦５２Ｒを押下することにより、画像歪み補正映像Ｇ１では、右調整釦５２Ｒに対応するインジケータが点灯するとともに、水平方向の角度パラメータの値が＋方向に大きくなり、映像の右辺側が左辺側に比べて小さくなる方向に補正される。反対に、左調整釦５２Ｌを押下することにより、画像歪み補正映像Ｇ１では、左調整釦５２Ｌに対応するインジケータが点灯するとともに、水平方向の角度パラメータの値が−方向に大きくなり、映像の左辺側が右辺側に比べて小さくなる方向に補正される。
【００４６】
（コーナー歪み補正）
次に、画像歪み補正部６８によるコーナー歪み補正処理について、図６を用いて説明する。図６は、コーナー歪み補正処理の実行時において各液晶パネルに形成されている歪み映像の形状を示す図である。
【００４７】
図６を参照して、歪み映像と同一画面上には、ＯＳＤ回路７２によってコーナー歪み補正映像Ｇ２が表示される。コーナー歪み補正映像Ｇ２には、操作メニューの種別（画像歪み補正メニュー）と、調整釦５２（図３）の操作状態を示すインジケータとが表示されている。以下では、コーナー歪み補正映像Ｇ２が表示されている状態を、「Ｃｏｒｎｅｒ  ＯＳＤ表示」とも記す。
【００４８】
図中の補正点Ａ，Ｂ，Ｃ，Ｄは、スクリーン３０に表示されている映像の四隅を表している。コーナー歪み補正では、調整釦５２から出力される操作信号（左上隅操作信号、右上隅操作信号、左下隅操作信号、右下隅操作信号）に応じて、補正点Ａ，Ｂ，Ｃ，Ｄの位置を補正することによりスクリーン３０上に表示される映像の歪みを補正する。
【００４９】
図６の例では、右調整釦５２Ｒと下調整釦５２Ｄとが補正点Ｂ（左上隅）の変位に対応している。右調整釦５２Ｒおよび下調整釦５２Ｄを押下することにより、画像歪み補正映像Ｇ２では、右調整釦５２Ｒおよび下調整釦５２Ｄに対応するインジケータが点灯（表示色が変更）する。
【００５０】
実施例では、右調整釦５２Ｒおよび下調整釦５２Ｄの押下回数と補正点Ｂの変位量とは連動している。画像歪み補正部６８は、補正点Ｂの変位量に応じて映像信号を調整して、映像信号に基づいた映像（実映像９０）を形成するための映像形成領域を、各液晶パネルの画素領域内に定める。
【００５１】
すなわち、画像歪み補正部６８は、補正点Ｂを、図中の矢印の方向に、右調整釦５２Ｒおよび下調整釦５２Ｄの押下回数に応じた変位量分変位させる。補正点Ｂは、補正点Ｂ１まで変位される。これにより、各液晶パネルの実映像９０の補正点Ｂ１に対応するスクリーン３０上の補正点は、右調整釦５２Ｒおよび下調整釦５２Ｄの押下回数に応じた変位量分変位される。このように、画像歪みが補正されて実映像５０が正規の形状でスクリーン３０に投写されるように、実映像９０を形成するための映像形成領域の補正点を変位させるとともに、映像の形成に寄与しない領域９２に含まれる各画素の光透過率が最小となるように、映像データを補正する。この結果、実映像９０が正規の形状でスクリーン３０上に表示される。
【００５２】
一方、図示は省略するが、左調整釦５２Ｌおよび下調整釦５２Ｄを押下することにより、画像歪み補正映像Ｇ２では、左調整釦５２Ｌおよび下調整釦５２Ｄに対応するインジケータが点灯するとともに、補正点Ｃが左調整釦５２Ｌおよび下調整釦５２Ｄの押下回数に応じた変位量分変位される。
【００５３】
また、左調整釦５２Ｌおよび上調整釦５２Ｕを押下することにより、画像歪み補正映像Ｇ２では、左調整釦５２Ｌおよび上調整釦５２Ｕに対応するインジケータが点灯するとともに、補正点Ｄが左調整釦５２Ｌおよび上調整釦５２Ｕの押下回数に応じた変位量分変位される。
【００５４】
さらに、右調整釦５２Ｒおよび上調整釦５２Ｕを押下することにより、画像歪み補正映像Ｇ２では、右調整釦５２Ｒおよび上調整釦５２Ｕに対応するインジケータが点灯するとともに、補正点Ａが右調整釦５２Ｒおよび上調整釦５２Ｕの押下回数に応じた変位量分変位される。
【００５５】
（切り替え制御処理）
次に、台形歪み補正処理とコーナー歪み補正処理との間の切り替え制御処理について、図７および図８を参照して説明する。図７は、台形歪み補正処理からコーナー歪み補正処理への切り替え制御について説明する図である。切り替え制御処理は、マイコン７０が、画像歪み補正部６８を制御して実行する。
【００５６】
切り替え制御処理は、台形歪み補正処理の実行中に、ユーザから入力される切り替え指示を契機として実行される。実施例では、切り替え指示は、ユーザがリモコン５０のＫｅｙｓｔｏｎｅリモコン釦５６（図３）を押下したことを検出して、リモコン５０が出力する操作信号である。
【００５７】
したがって、台形歪み補正処理の実行中に、ユーザがＫｅｙｓｔｏｎｅリモコン釦５６を押下すると、画像歪み補正部６８は、台形歪み補正処理からコーナー歪み補正処理へと切り替える。
【００５８】
なお、台形歪み補正処理からコーナー歪み補正処理に切り替わると、ＯＳＤ回路７２によって、投写映像４０と同一画面上に表示される画像歪み補正映像は、台形歪み補正映像Ｇ１（Ｋｅｙｓｔｏｎｅ  ＯＳＤ表示）からコーナー歪み補正映像Ｇ２（Ｃｏｒｎｅｒ  ＯＳＤ表示）へと切り替えられる。すなわち、台形歪み補正処理とコーナー歪み補正処理との切り替えに連動して、Ｋｅｙｓｔｏｎｅ  ＯＳＤ表示とＣｏｒｎｅｒ  ＯＳＤ表示との切り替えが行なわれる。
【００５９】
このように、ユーザは、リモコン５０のＫｅｙｓｔｏｎｅリモコン釦５６を操作することにより、台形歪み補正処理とコーナー歪み補正処理との相互の切り替えを簡易に行なうことができる。
【００６０】
しかしながら、台形歪み補正処理とコーナー歪み補正処理との切り替えを操作性良く行なうことが可能となる一方で、たとえば台形歪み補正処理の実行中に、ユーザが誤ってＫｅｙｓｔｏｎｅリモコン釦５６を押下した場合には、ユーザの意に反して突然に、コーナー歪み補正処理に切り替えられるといった不具合が生じてしまう。
【００６１】
そこで、このような不具合を防止するために、画像歪み補正部６８は、台形歪み補正処理またはコーナー歪み補正処理を行なっていない状態で、ユーザがＫｅｙｓｔｏｎｅリモコン釦５６を押下したときには、台形歪み補正処理とコーナー歪み補正処理との切り替えを行なうものとする。
【００６２】
図７の例では、コーナー歪み補正処理から台形歪み補正処理への切り替えがなされているものの、実際には台形歪み補正処理が実行されていない。このような状態の下でユーザがＫｅｙｓｔｏｎｅリモコン釦５６を押下したときには、画像歪み補正部６８は、台形歪み補正処理とコーナー歪み補正処理との切り替えを行なう。
【００６３】
また、画像歪み補正部６８は、コーナー歪み補正処理または台形歪み補正処理が行なわれた状態の下で、ユーザがＫｅｙｓｔｏｎｅリモコン釦５６を押下したときには、台形歪み補正処理とコーナー歪み補正処理との切り替えを禁止するものとする。
【００６４】
図８の例では、コーナー歪み補正処理から台形歪み補正処理への切り替えがなされた後に（図８（ａ））、ユーザによる調整釦５２の操作に応じて台形歪み補正処理が実行されている（図８（ｂ））。このような状態の下でユーザがＫｅｙｓｔｏｎｅリモコン釦５６を押下したときには、画像歪み補正部６８は、台形歪み補正処理とコーナー歪み補正処理との切り替えを行なわない（図８（ｃ））。すなわち、画像歪み補正部６８は、コーナー歪み補正処理に遷移せず、台形歪み補正処理を引き続き実行する。したがって、投写映像４０と同一画面上に表示される画像歪み補正映像は、Ｋｅｙｓｔｏｎｅ  ＯＳＤ表示に維持される。
【００６５】
以上の処理は、図９および図１０に示すような処理フローにまとめることができる。
（処理フロー）
図９および図１０は、本発明の実施の形態に従う台形歪み補正処理とコーナー歪み補正処理との間の切り替え制御処理を説明するフローチャートである。なお、図９および図１０の各ステップの処理は、マイコン７０において予め格納したプログラムを実行することで実現される。
【００６６】
図９を参照して、まず、初期状態として、画像歪み補正処理が選択されていない、すなわち、ユーザによってＫｅｙｓｔｏｎｅリモコン釦５６が押下されていないために、ＯＳＤ回路７２による画像歪み補正映像のＯＳＤ表示は行なわれてないものとする（ステップＳ０１）。
【００６７】
次に、マイコン７０は、リモコン受信部２０（図１）で受信されるリモコン信号に基づいて、Ｋｅｙｓｔｏｎｅリモコン釦５６（図３）が押下されたか否かを判定する（ステップＳ０２）。Ｋｅｙｓｔｏｎｅリモコン釦５６が押下されていないと判定されたとき（Ｓ０２のＮＯ判定時）には、処理は最初に戻される。
【００６８】
一方、Ｋｅｙｓｔｏｎｅリモコン釦５６が押下されたと判定されたとき（Ｓ０２のＹＥＳ判定時）には、画像歪み補正部６８は、マイコン７０からの指示に従って台形歪み補正処理を選択する（ステップＳ０３）。ＯＳＤ回路７２は、マイコン７０からの指示に従って、台形歪み補正画像Ｇ１（図４）を生成する。これにより、台形歪み補正画像Ｇ１が投写映像４０と同一画面上に表示される（Ｋｅｙｓｔｏｎｅ  ＯＳＤ表示）。
【００６９】
次に、マイコン７０は、リモコン信号に基づいて、ユーザによる調整釦５２（図３）の操作が行なわれたか否か、すなわち、台形歪み補正処理が実行されたか否かを判定する（ステップＳ０４）。ユーザによる調整釦５２の操作が行なわれたと判定されたとき（ステップＳ０４のＹＥＳ判定時）には、画像歪み補正部６８は、マイコン７０からの指示に従って、台形歪み補正処理を選択する（ステップＳ０５）。ＯＳＤ回路７２は、マイコン７０からの指示に従って、台形歪み補正画像Ｇ１を生成する。これにより、台形歪み補正画像Ｇ１が投写映像４０と同一画面上に表示される（Ｋｅｙｓｔｏｎｅ  ＯＳＤ表示）。
【００７０】
次に、マイコン７０は、リモコン信号に基づいて、Ｋｅｙｓｔｏｎｅリモコン釦５６が押下されたか否かを判定する（ステップＳ０６）。Ｋｅｙｓｔｏｎｅリモコン釦５６が押下されたと判定されたとき（Ｓ０６のＹＥＳ判定時）には、画像歪み補正部６８は、ステップＳ０５に戻り、マイコン７０からの指示に従って台形歪み補正処理を選択する。ＯＳＤ回路７２は、マイコン７０からの指示に従って、台形歪み補正画像Ｇ１を生成する。これにより、台形歪み補正画像Ｇ１が投写映像４０と同一画面上に表示される（Ｋｅｙｓｔｏｎｅ  ＯＳＤ表示）。
【００７１】
一方、Ｋｅｙｓｔｏｎｅリモコン釦５６が押下されていないと判定されたとき（Ｓ０６のＮＯ判定時）には、マイコン７０は、ステップＳ０４での調整釦５２の操作から所定時間（たとえば、１０秒とする）を超えて、調整釦５２およびＫｅｙｓｔｏｎｅリモコン釦５６が未操作状態であるか、または、ユーザによる確定釦５４（図３）の操作等に基づく台形歪み補正処理の終了指示があるか否かを判定する（ステップＳ０７）。調整釦５２およびＫｅｙｓｔｏｎｅリモコン釦５６の未操作状態が所定時間を超えていないとき、あるいは台形歪み補正処理の終了指示がないとき（ステップＳ０７のＮＯ判定時）には、ステップＳ０５に戻り、画像歪み補正部６８は、マイコン７０からの指示に従って、台形歪み補正処理を選択する。ＯＳＤ回路７２によって、台形歪み補正画像Ｇ１が投写映像４０と同一画面上に表示される（Ｋｅｙｓｔｏｎｅ  ＯＳＤ表示）。
【００７２】
一方、調整釦５２およびＫｅｙｓｔｏｎｅリモコン釦５６の未操作状態が所定時間を超えて継続したとき、あるいは台形歪み補正処理の終了指示があるとき（ステップＳ０７のＹＥＳ判定時）には、ステップＳ０１に戻り、画像歪み補正処理が選択されていない初期状態に設定される。
【００７３】
これに対して、ステップＳ０４において、ユーザによる調整釦５２の操作が行なわれていないと判定されたとき（ステップＳ０４のＮＯ判定時）には、画像歪み補正部６８は、マイコン７０からの指示に従って、台形歪み補正処理を選択する（ステップＳ０８）。ＯＳＤ回路７２によって、台形歪み補正画像Ｇ１が投写映像４０と同一画面上に表示される（Ｋｅｙｓｔｏｎｅ  ＯＳＤ表示）。
【００７４】
次に、マイコン７０は、リモコン信号に基づいて、Ｋｅｙｓｔｏｎｅリモコン釦５６が押下されたか否かを判定する（ステップＳ０９）。Ｋｅｙｓｔｏｎｅリモコン釦５６が押下されたと判定されたとき（Ｓ０９のＹＥＳ判定時）には、画像歪み補正部６８は、マイコン７０からの指示に従って、コーナー歪み補正処理を選択する（ステップＳ１０）。ＯＳＤ回路７２は、マイコン７０からの指示に従って、コーナー歪み補正画像Ｇ２を生成する。これにより、コーナー歪み補正画像Ｇ２が投写映像４０と同一画面上に表示される（Ｃｏｒｎｅｒ  ＯＳＤ表示）。
【００７５】
一方、Ｋｅｙｓｔｏｎｅリモコン釦５６が押下されていないと判定されたとき（Ｓ０９のＮＯ判定時）には、マイコン７０は、ステップＳ０４での調整釦５２の操作から所定時間を超えて、調整釦５２およびＫｅｙｓｔｏｎｅリモコン釦５６が未操作状態であるか、または、ユーザによる確定釦５４の操作に基づく台形歪み補正処理の終了指示があるか否かを判定する（ステップＳ１１）。調整釦５２およびＫｅｙｓｔｏｎｅリモコン釦５６の未操作状態が所定時間を超えていないとき、あるいは台形歪み補正処理の終了指示がないとき（ステップＳ１１のＮＯ判定時）には、ステップＳ０３に戻り、画像歪み補正部６８は、マイコン７０からの指示に従って台形歪み補正処理を選択する。ＯＳＤ回路７２によって、台形歪み補正画像Ｇ１が投写映像４０と同一画面上に表示される（Ｋｅｙｓｔｏｎｅ  ＯＳＤ表示）。
【００７６】
一方、調整釦５２およびＫｅｙｓｔｏｎｅリモコン釦５６の未操作状態が所定時間を超えて継続したとき、あるいは台形歪み補正処理の終了指示があるとき（ステップＳ０７のＹＥＳ判定時）には、ステップＳ０１に戻り、画像歪み補正処理が選択されていない初期状態に設定される。
【００７７】
次に、図１０を参照して、図９のステップＳ１０において、画像歪み補正部６８がコーナー歪み補正処理を選択すると、マイコン７０は、リモコン信号に基づいて、ユーザによる調整釦５２（図３）の操作が行なわれたか否か、すなわち、コーナー歪み補正処理が実行されたか否かを判定する（ステップＳ１２）。ユーザによる調整釦５２の操作が行なわれたと判定されたとき（ステップＳ１２のＹＥＳ判定時）には、画像歪み補正部６８は、マイコン７０からの指示に従って、コーナー歪み補正処理を選択する（ステップＳ１３）。ＯＳＤ回路７２によって、コーナー歪み補正画像Ｇ２が投写映像４０と同一画面上に表示される（Ｃｏｒｎｅｒ  ＯＳＤ表示）。
【００７８】
次に、マイコン７０は、リモコン信号に基づいて、Ｋｅｙｓｔｏｎｅリモコン釦５６が押下されたか否かを判定する（ステップＳ１４）。Ｋｅｙｓｔｏｎｅリモコン釦５６が押下されたと判定されたとき（Ｓ１４のＹＥＳ判定時）には、画像歪み補正部６８は、ステップＳ１３に戻り、マイコン７０からの指示に従って、コーナー歪み補正処理を選択する。ＯＳＤ回路７２によって、コーナー歪み補正画像Ｇ２が投写映像４０と同一画面上に表示される（Ｃｏｒｎｅｒ  ＯＳＤ表示）。
【００７９】
一方、Ｋｅｙｓｔｏｎｅリモコン釦５６が押下されていないと判定されたとき（Ｓ１４のＮＯ判定時）には、マイコン７０は、ステップＳ１２での調整釦５２の操作から所定時間を超えて、調整釦５２およびＫｅｙｓｔｏｎｅリモコン釦５６が未操作状態であるか、または、ユーザによる確定釦５４の操作に基づくコーナー歪み補正処理の終了指示があるか否かを判定する（ステップＳ１５）。調整釦５２およびＫｅｙｓｔｏｎｅリモコン釦５６の未操作状態が所定時間を超えていないとき、あるいはコーナー歪み補正処理の終了指示がないとき（ステップＳ１５のＮＯ判定時）には、ステップＳ１３に戻り、画像歪み補正部６８は、マイコン７０からの指示に従って、コーナー歪み補正処理を選択する。ＯＳＤ回路７２によって、コーナー歪み補正画像Ｇ２が投写映像４０と同一画面上に表示される（Ｃｏｒｎｅｒ  ＯＳＤ表示）。
【００８０】
一方、調整釦５２およびＫｅｙｓｔｏｎｅリモコン釦５６の未操作状態が所定時間を超えて継続したとき、あるいはコーナー歪み補正処理の終了指示があるとき（ステップＳ１５のＹＥＳ判定時）には、画像歪み補正処理が選択されていない初期状態に設定される。すなわち、ＯＳＤ回路７２による画像歪み補正映像のＯＳＤ表示は行なわれない（ステップＳ１６）。
【００８１】
この初期状態において、マイコン７０は、リモコン信号に基づいて、Ｋｅｙｓｔｏｎｅリモコン釦５６が押下されたか否かを判定する（ステップＳ１７）。Ｋｅｙｓｔｏｎｅリモコン釦５６が押下されたと判定されたとき（Ｓ１７のＹＥＳ判定時）には、画像歪み補正部６８は、マイコン７０からの指示に従って、コーナー歪み補正処理を選択する（ステップＳ１８）。ＯＳＤ回路７２によって、コーナー歪み補正画像Ｇ２が投写映像４０と同一画面上に表示される（Ｃｏｒｎｅｒ  ＯＳＤ表示）。その後、処理はステップＳ１２に戻る。
【００８２】
一方、Ｋｅｙｓｔｏｎｅリモコン釦５６が押下されていないと判定されたとき（ステップＳ１７のＮＯ判定時）には、ステップＳ１６に戻り、初期状態に設定される。
【００８３】
これに対して、ステップＳ１２において、ユーザによる調整釦５２の操作が行なわれていないと判定されたとき（ステップＳ１２のＮＯ判定時）には、画像歪み補正部６８は、マイコン７０からの指示に従って、コーナー歪み補正処理を選択する（ステップＳ２０）。ＯＳＤ回路７２によって、コーナー歪み補正画像Ｇ２が投写映像４０と同一画面上に表示される（Ｃｏｒｎｅｒ  ＯＳＤ表示）。
【００８４】
次に、マイコン７０は、リモコン信号に基づいて、Ｋｅｙｓｔｏｎｅリモコン釦５６が押下されたか否かを判定する（ステップＳ２１）。Ｋｅｙｓｔｏｎｅリモコン釦５６が押下されたと判定されたとき（Ｓ２１のＹＥＳ判定時）には、ステップＳ０３に戻り、画像歪み補正部６８は、マイコン７０からの指示に従って、台形歪み補正処理を選択する。ＯＳＤ回路７２によって、台形歪み補正画像Ｇ１が投写映像４０と同一画面上に表示される（Ｋｅｙｓｔｏｎｅ  ＯＳＤ表示）。
【００８５】
一方、Ｋｅｙｓｔｏｎｅリモコン釦５６が押下されていないと判定されたとき（Ｓ２１のＮＯ判定時）には、マイコン７０は、ステップＳ０９での調整釦５２の操作から所定時間を超えて、調整釦５２およびＫｅｙｓｔｏｎｅリモコン釦５６が未操作状態であるか、または、ユーザによる確定釦５４の操作に基づくコーナー歪み補正処理の終了指示があるか否かを判定する（ステップＳ１９）。調整釦５２およびＫｅｙｓｔｏｎｅリモコン釦５６の未操作状態が所定時間を超えていないとき、あるいはコーナー歪み補正処理の終了指示がないとき（ステップＳ１９のＮＯ判定時）には、ステップＳ１０に戻り、画像歪み補正部６８は、マイコン７０からの指示に従ってコーナー歪み補正処理を選択する。ＯＳＤ回路７２によって、コーナー歪み補正画像Ｇ２が投写映像４０と同一画面上に表示される（Ｃｏｒｎｅｒ  ＯＳＤ表示）。
【００８６】
一方、調整釦５２およびＫｅｙｓｔｏｎｅリモコン釦５６の未操作状態が所定時間を超えて継続したとき、あるいはコーナー歪み補正処理の終了指示があるとき（ステップＳ１９のＹＥＳ判定時）には、ステップＳ１６に進み、画像歪み補正処理が選択されていない初期状態に設定される。
【００８７】
以上に述べたように、この発明の実施の形態によれば、画像歪み補正機能として、台形歪み補正機能とコーナー歪み補正機能とを備えたプロジェクタにおいて、リモコンの操作釦の押下により、台形歪み補正機能とコーナー歪み補正機能との切り替えを簡易に行なうことができる。さらに、いずれかの補正機能による補正が行なわれた場合に、操作釦が押下されたときには、切り替えが禁止されるため、ユーザが当該操作釦を誤って押下した場合の不具合および煩わしさを解消することができる。この結果、投写型映像表示装置の操作性を高めることができる。
【００８８】
［変更例］
上述した本発明の実施の形態では、図８に示したように、ユーザによる調整釦５２の操作に応じて台形歪み補正処理が実行されている状態の下でユーザがＫｅｙｓｔｏｎｅリモコン釦５６を押下したときには、台形歪み補正処理からコーナー歪み補正処理への切り替えを行なわない構成について例示したが、これ以外にも、ユーザがＫｅｙｓｔｏｎｅリモコン釦５６を押下したことに応答して、ＯＳＤ回路７２によって、ユーザにより切り替えを選択させるための映像を同一画面上に表示させる構成としても、同様の効果を得ることができる。
【００８９】
図１１は、本発明の実施の形態の変更例に従うコーナー歪み補正処理と台形歪み補正処理との切り替え制御処理を説明する図である。
【００９０】
図１１を参照して、コーナー歪み補正処理から台形歪み補正処理への切り替えがなされた後に（図１１（ａ））、ユーザによる調整釦５２の操作に応じて台形歪み補正処理が実行されている（図１１（ｂ））。このような状態の下でユーザがＫｅｙｓｔｏｎｅリモコン釦５６を押下したときには、ＯＳＤ回路７２は、マイコン７０からの指示に従って、ユーザにより切り替えを選択させるための問合せメニュー画面Ｇ３を同一画面上に表示させる。図１１の例では、ユーザに対して、コーナー歪み補正処理への切り替えを行なうか否かを選択させるＯＳＤ映像が表示されている。ユーザは、リモコン５０のキー操作によって、問合せメニュー画面Ｇ３上に表示されるカーソル（図中の矢印）を「ＹＥＳ」または「ＮＯ」のいずれかに移動させた後に確定釦５４を押下することにより、切り替えを行なうか否かを選択することができる。これにより、ユーザが誤ってＫｅｙｓｔｏｎｅリモコン釦５６を押下した際に、突然にコーナー歪み補正処理に切り替わってしまうのを回避できる。
【００９１】
なお、本実施の形態では、プロジェクタとして液晶プロジェクタを採用したが、これに限定されるものではない。たとえば、ＤＬＰ（Digital Light Processing）（登録商標）方式のプロジェクタ等の他の方式のプロジェクタに本発明の技術を採用してもよい。
【００９２】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【００９３】
１０  プロジェクタ、２０  リモコン受信部、３０  スクリーン、４０  投写映像、５０  リモコン、５２  調整釦、５２Ｕ  上調整釦、５２Ｄ  下調整釦、５２Ｌ  下調整釦、５２Ｄ  下調整釦、５２Ｒ  右調整釦、５２Ｌ  左調整釦、５４  確定釦、５６  Ｋｅｙｓｔｏｎｅリモコン釦、６０  入力部、６２  レシーバ部、６４  映像信号処理回路、６４  映像信号出力回路、６６  合成部、６８  画像歪み補正、７０  マイコン、７２  ＯＳＤ回路、７６  液晶表示駆動部、７８  光学系、８０  電源ユニット、８２  プラグ、８４  コネクタ、８６  ランプ。
【図１】
2011065025.tif 000003
【図２】
2011065025.tif 000004
【図３】
2011065025.tif 000005
【図４】
2011065025.tif 000006
【図５】
2011065025.tif 000007
【図６】
2011065025.tif 000008
【図７】
2011065025.tif 000009
【図８】
2011065025.tif 000010
【図９】
2011065025.tif 000011
【図１０】
2011065025.tif 000012
【図１１】
2011065025.tif 000013